(57)【要約】【課題】電池を使用する電子機器において、電池の脱落を防止し、かつ、容易に電池を取り出し可能な電子機器、及び、電池収容部の蓋構造を提供する。【解決手段】電池収容部２０を開閉する回動可能な電池カバー１５と、電池カバー１５からスライドして突出する爪部３６と、電池収容部２０側に設けられ、電池カバー１５から突出した爪部３６に係合する受け部５１と、を備え、爪部３６は、電池カバー１５を閉位置Ｃ１よりも電池収容部２０側に押し込んだ位置Ｃ２で受け部５１から離脱可能となる。【選択図】図５
2014182980.tif 000002
【特許請求の範囲】
【請求項１】
電池収容部を有する電子機器であって、
前記電池収容部を開閉する回動可能な蓋と、
前記蓋からスライドして突出する爪部と、
前記電池収容部側に設けられ、前記蓋から突出した前記爪部に係合する受け部と、を備え、
前記爪部は、前記蓋を閉位置よりも電池収容部側に押し込んだ位置で前記受け部から離脱可能となることを特徴とする電子機器。
【請求項２】
前記蓋の閉位置において前記爪部の引き込み方向の移動が規制されることを特徴とする請求項１記載の電子機器。
【請求項３】
前記蓋が閉じた状態で前記蓋を開方向に付勢する付勢手段を備え、
前記電池収容部側に、前記蓋を閉位置よりも押し込んだ位置で前記蓋に接する規制部を設けたことを特徴とする請求項１または２記載の電子機器。
【請求項４】
前記付勢手段は前記蓋に設けられ、前記蓋の閉位置において前記電池収容部に収容された電池を押圧することを特徴とする請求項３記載の電子機器。
【請求項５】
前記蓋は、前記爪部を有する先端部が前記電池収容部側に変位するように弾性変形可能であることを特徴とする請求項１または２記載の電子機器。
【請求項６】
電池収容部に回動可能な蓋を設け、
前記蓋からスライドして突出する爪部を設け、
前記電池収容部側に、前記蓋から突出した前記爪部に係合する受け部を設け、
前記爪部が、前記蓋を閉位置よりも電池収容部側に押し込んだ位置で前記受け部から離脱可能となることを特徴とする電池収容部の蓋構造。
【発明の詳細な説明】
【技術分野】
【０００１】
本発明は、電池収容部を有する電子機器、及び、電池収容部の蓋構造に関する。
【背景技術】
【０００２】
従来、乾電池や二次電池を電源として動作する電子機器が知られている。この種の電子機器には、電池の飛び出し、脱落等を防止するための機構を備えたものがある（例えば、特許文献１参照）。特許文献１記載の印刷装置は、本体内部の電池収容部を用紙パッケージの内側に配置することで、電池を抜け落ちにくくしている。
【先行技術文献】
【特許文献】
【０００３】
【特許文献１】特開２００８−３０７７８９号公報
【発明の概要】
【発明が解決しようとする課題】
【０００４】
ところで、乾電池等の一次電池を使用する場合、及び、二次電池を使用する場合のいずれにおいても、電子機器から電池を着脱することは少なくない。例えば、一次電池を使う場合は電池切れとなる毎に電池が交換される。また、二次電池を使用する場合、電子機器から電池を取り出して充電することがあるし、その他のメンテナンス時に電池を取り出すこともある。従って、電子機器に電池を収容する構成では、電池の飛び出しや脱落を防止できるだけでなく、容易に開閉して電池を取り出せる必要もある。このため、電池の脱落を防止し、かつ、容易に電池を取り出し可能な構成が望まれていた。
本発明は、上述した事情に鑑みてなされたものであり、電池を使用する電子機器において、電池の脱落を防止し、かつ、容易に電池を取り出し可能な電子機器、及び、電池収容部の蓋構造を提供することを目的とする。
【課題を解決するための手段】
【０００５】
上記目的を達成するために、本発明は、電池収容部を有する電子機器であって、前記電池収容部を開閉する回動可能な蓋と、前記蓋からスライドして突出する爪部と、前記電池収容部側に設けられ、前記蓋から突出した前記爪部に係合する受け部と、を備え、前記爪部は、前記蓋を閉位置よりも電池収容部側に押し込んだ位置で前記受け部から離脱可能となることを特徴とする。
本発明によれば、電池収容部の蓋を押し込むと爪部が係合部から離脱可能となる。このため、蓋を開く際には蓋を押し込む操作が必要であるため、蓋を閉じた状態で意図せず蓋が開いてしまう不具合を防ぎ、電池収容部からの電池の脱落を防止できる。また、蓋を開く操作は簡単であるため、電池交換等を行う場合にユーザーが蓋を簡単に開くことができる。
【０００６】
上記構成において、前記蓋の閉位置において前記爪部の引き込み方向の移動が規制される構成としてもよい。
この構成によれば、閉位置において爪部の移動が規制されるので、ユーザーが意図しない状況で爪部がスライドする方向の外力が加わっても、蓋を閉じたまま保持できる。このため、例えば電子機器本体に強い外力が加わった場合に蓋の開放を防止できるので、意図しない電池の脱落を防止できる。
【０００７】
また、上記構成において、前記蓋が閉じた状態で前記蓋を開方向に付勢する付勢手段を備え、前記電池収容部側に、前記蓋を閉位置よりも押し込んだ位置で前記蓋に接する規制部を設けた構成としてもよい。
この構成によれば、蓋が付勢手段により付勢されるため、電池収容部の蓋が閉位置でがたつくことなく保持され、この蓋を押し込んだ場合に度当たり部に接するため、爪部をスライドさせる操作に適した位置で蓋を止めることができる。これにより、蓋のがたつきを防止でき、かつ、簡単に電池を取り出すことが可能となる。
【０００８】
また、上記構成において、前記付勢手段は前記蓋に設けられ、前記蓋の閉位置において前記電池収容部に収容された電池を押圧するものであってもよい。
この構成によれば、蓋のがたつきを防止するとともに、電池を押圧することにより電池を電池収容部内で安定させることができる。
【０００９】
また、上記構成において、前記蓋は、前記爪部を有する先端部が前記電池収容部側に変位するように弾性変形可能な構成としてもよい。
この構成によれば、蓋が弾性変形して、前記爪部を有する先端部が変位することにより爪部をスライドさせて開くことができる。これにより、蓋の本体を閉位置から移動させることなく、閉位置における爪部のスライドを規制する構成を実現できる。このため、蓋の可動範囲を拡げなくても、意図しない蓋の開放を防止できる。
【００１０】
また、上記目的を達成するために、本発明の電池収容部の蓋構造は、電池収容部に回動可能な蓋を設け、前記蓋からスライドして突出する爪部を設け、前記電池収容部側に、前記蓋から突出した前記爪部に係合する受け部を設け、前記爪部が、前記蓋を閉位置よりも電池収容部側に押し込んだ位置で前記受け部から離脱可能となることを特徴とする。
本発明によれば、電子機器等において電池を収容する電池収容部の蓋が意図せず開いてしまう不具合を防ぎ、電池収容部からの電池の脱落を防止できる。また、蓋を開く操作は簡単であるため、電池交換等を行う場合にユーザーが蓋を簡単に開くことができる。
【発明の効果】
【００１１】
本発明によれば、電池収容部の蓋が意図せず開いてしまう不具合を防ぎ、電池収容部からの電池の脱落を防止可能であり、電池交換等を行う場合には簡単に蓋を開くことができる。
【図面の簡単な説明】
【００１２】
【図１】本発明の実施形態に係るプリンターの斜視図である。
【図２】電池収容部の蓋を開いた状態におけるプリンターの斜視図である。
【図３】蓋の斜視図である。
【図４】図３のＡ−Ａ´断面図である。
【図５】下部ケースの平面図である。
【図６】図５の要部拡大図である。
【図７】変形例における要部拡大平面図である。
【発明を実施するための形態】
【００１３】
以下、図面を参照して本発明の実施形態について説明する。
図１は、本発明を適用した実施形態に係るプリンター１の斜視図である。
プリンター１（電子機器）は、略箱形の本体２を有し、図１中の手前を前方とする。プリンター１は、本体２の内部に収容したロール状の印刷媒体に文字や画像を印刷し、印刷媒体を本体２の上面に設けられた排紙口３から排出する。印刷媒体としては、普通紙のほか、感熱紙や糊付きのラベル用紙が挙げられる。また、プリンター１の印刷方式は、サーマル方式、ドットインパクト方式、熱転写方式、インクジェット方式等が挙げられるが、特に制限はない。排紙口３の側方には用紙レバー６が配置されている。用紙レバー６を操作すると、本体２の上面において排紙口３より後部が上に開き、印刷媒体を収容する媒体収容部が露出して、印刷媒体の交換や補充を行えるようになっている。
本体２は、上部ケース４及び下部ケース５により構成される。上部ケース４の上面には上述した排紙口３が開口する。また、上部ケース４の上面には、プリンター１の電源をオン／オフする電源スイッチや紙送り動作を指示するフィードスイッチ等を有するスイッチ部１１が配置される。さらに、スイッチ部１１の近傍には、プリンター１の動作状態に合わせて点灯／点滅するＬＥＤインジケーターを有するインジケーター部１２が設けられている。
【００１４】
プリンター１は、ユーザーが携帯して使用する携帯型のプリンターであり、電池を内蔵している。電池は後述するように下部ケース５に形成された電池収容部２０（図２）に収容され、この電池収容部２０には開閉可能な電池カバー１５（蓋）が設けられている。電池カバー１５は、図１に示すように本体２の側面に開口する。図１には、電池カバー１５が閉じた状態を示している。この状態で外力が作用しない場合、例えばユーザーが電池カバー１５に触っていない場合の電池カバー１５の位置を、閉位置とする。
ロックレバー１６を矢印ＵＬ方向に移動させると、電池カバー１５は図中符号ＯＰで示す矢印の方向に回動して開く。電池カバー１５は、閉位置において、後述するばねの付勢力によって、開位置に向けて付勢されている。このためロックレバー１６をスライドさせると、電池カバー１５はばねの付勢力によって矢印ＯＰ方向に開く。
【００１５】
図２は、電池カバー１５が開いた状態におけるプリンター１の斜視図である。
下部ケース５には、図２に示すように電池２１を収容する電池収容部２０が設けられている。電池収容部２０は筒状の空間であり、略筒型の電池２１の全体を収めることが可能である。電池２１は、プリンター１の電源を供給する電池であり、一次電池であっても二次電池であってもよく、内部構造等についても任意である。電池カバー１５を開いた状態で、電池２１は図中符号Ｂの矢印で示す方向に引き抜き、取り出すことが可能である。また、電池２１をプリンター１にセットする場合、電池２１を電池収容部２０の奥に向けて、矢印Ｂとは逆方向に押し込めばよい。電池収容部２０の開口付近には、電池２１をセットする際に電池２１の側面に形成された溝に嵌合するガイド突起２７が設けられ、このガイド突起２７により電池２１がまっすぐ電池収容部２０の奥まで挿入される。
【００１６】
電池収容部２０の開口２０ａは、上部ケース４及び下部ケース５に跨がって形成されている。この開口２０ａは、本体２の側面から底面の一部に及んでいる。すなわち、本体２の底面の一部には、開口２０ａに繋がる凹欠部２０ｂが形成されている。凹欠部２０ｂは、本体２の底板２５を半円形状に切り欠いたように形成され、電池カバー１５を開くと開口２０ａに繋がって一つの開口を構成する。
電池収容部２０は、本体２の底板２５の上に形成されている。このため、凹欠部２０ｂが開口すると、凹欠部２０ｂにおいては電池収容部２０が露出する。図２に示すように電池カバー１５を開くと、電池収容部２０に収容された電池２１の先端が開口２０ａに露出する。さらに、電池２１の先端部では、図２中の下面に相当する底面が、凹欠部２０ｂに露出する。このため、ユーザーは、凹欠部２０ｂから指を入れることで、電池２１の先端を掴むことができる。つまり、電池収容部２０に収容された電池２１を掴んで引き出し、容易に電池収容部２０から取り出すことができる。この取り出し操作は簡単であり、かつ、電池２１を電池収容部２０から押し出す機構を必要としない。
また、開口２０ａの内部には当接部２８（規制部）が配置されている。当接部２８は、開口２０ａの上縁を構成する上部ケース４の一部が下方に延設されたものであり、電池カバー１５を閉じる際に電池カバー１５に当接して、電池カバー１５が電池収容部２０内部に入り込まないよう規制する。
【００１７】
図３は、電池カバー１５の構成を詳細に示す斜視図である。また、図４は図３のＡ−Ａ´断面図である。図２、図３及び図４を参照して電池カバー１５の構成について詳述する。
電池カバー１５は、平板状のベース３１に、レバー部材３２をスライド可能に取りつけて構成される。ベース３１は、電池カバー１５の本体を構成し、ベース３１の一端にはヒンジ１８が連結されている。
【００１８】
開口２０ａの一端側には、電池カバー１５の回動中心となる軸２３（図５）が配置されている。軸２３は本体２の一部として固定的に、上下方向に立設され、上部ケース４と下部ケース５とに挟まれて固定される。
ヒンジ１８は、内部に軸２３が貫通する長穴を有する。電池カバー１５は、ヒンジ１８の長穴に軸２３が貫通するように本体２に取り付けられ、軸２３を中心として回動する。すなわち、電池カバー１５は、閉位置から図１の矢印ＯＰで示す方向に回動して開き、図２に示す開位置から、図中矢印ＣＬで示す方向に回動して閉じられる。なお、図２に示す電池カバー１５の位置は開いた状態における位置であるが、この位置を最大開口位置とする必要はなく、より大きく電池カバー１５を開くことが可能な構成としてもよい。
ヒンジ１８には図示しない捻りコイルばね（付勢手段）が配設され、電池カバー１５が軸２３を中心として矢印ＯＰ方向に回動するように付勢している。すなわち、電池カバー１５は矢印ＯＰ方向に付勢されているので、図１に示すように電池カバー１５が閉位置にある状態（以下、閉状態とする）でロックレバー１６が操作されると、ばねの付勢力によって外側に開く。
【００１９】
また、ヒンジ１８は、湾曲部１９を介してベース３１に連結されている。湾曲部１９は断面Ｕ字形状に曲がった形状を有する。図２に示すように電池カバー１５が開いた場合、本体２の開口２０ａの縁２０ｃが、湾曲部１９にＵ字形状の湾曲部分に入り込む。このため、本体２内部に固定された軸２３を中心として電池カバー１５が回動し、本体２の外側に開く構成を実現できる。
【００２０】
レバー部材３２は略平板状の部材であり、ロックレバー１６が立設されている。ロックレバー１６は、本体２の外側、すなわち本体２の側面に突出している。ロックレバー１６は、図１を参照して説明したように、矢印ＵＬ方向および反対方向（図中矢印ＬＫ方向）に動かすことが可能であり、このロックレバー１６とともにレバー部材３２の全体がスライドする。レバー部材３２の一端にはベース３１の端から突出する爪部３６が形成されている。爪部３６は、電池カバー１５から突出して電池収容部２０（図１）側に形成された受け部５１（図５）に係合し、電池カバー１５を閉じた状態で保持する。また、爪部３６の先端には図４中上方に突出する鈎状部３７が形成されている。鈎状部３７の構成及び作用は後述する。
爪部３６は、ロックレバー１６をスライドさせる操作が行われた場合に、レバー部材３２全体とともにスライドする。ロックレバー１６が矢印ＵＬ方向にスライドすると、爪部３６も矢印ＵＬ方向に移動して、爪部３６のほぼ全体がベース３１の内部に収容される。
【００２１】
レバー部材３２の他端側には、ベース３１との間に筒型の空間が形成され、この空間に圧縮コイルばね３４が収容されている。圧縮コイルばね３４は、ベース３１とレバー部材３２との間に設けられ、レバー部材３２が矢印ＵＬ方向に移動すると圧縮される。すなわち、圧縮コイルばね３４は、レバー部材３２を矢印ＬＫ方向に付勢する。この圧縮コイルばね３４により、レバー部材３２は、ロックレバー１６が操作されない状態では、爪部３６がベース３１から突出した位置で保持される。
【００２２】
ベース３１には、電池収容部２０側の面に電池押さえ４１が設けられている。電池押さえ４１は電池収容部２０に向けて突出する箱形の突起であり、内部に圧縮コイルばね４２（付勢手段）を備えている。電池押さえ４１は圧縮コイルばね４２により電池収容部２０側に付勢されていて、この付勢力に抗して電池押さえ４１をベース３１側に押し込むことも可能である。
電池押さえ４１は、電池カバー１５の閉状態で電池収容部２０に収容された電池２１の先端面を押圧する。電池２１は、圧縮コイルばね４２の付勢力により電池収容部２０の奥側に向けて付勢される。電池収容部２０の奥には図示しない端子が配設され、この端子はプリンター１の電源基板（図示略）に接続されている。電池２１が電池押さえ４１によって付勢されることで、電池２１が端子（図示略）から離れないように、電池２１を保持できる。これにより、例えばプリンター１に外力が加わった場合にも、電池２１から安定してプリンター１に電力を供給できる。また、電池押さえ４１が電池２１を押圧することにより、その反力が電池カバー１５に作用する。この反力と、ヒンジ１８に設けられた捻りコイルばね（図示略）の付勢力とによって、電池カバー１５は閉位置において外側に付勢されるが、電池カバー１５は爪部３６により本体２に係止されている。このため、電池カバー１５は、がたつくことなく閉位置で保持される。
また、ベース３１の下端には、ベース３１とほぼ垂直に、舌状部３５が延設されている。舌状部３５は、電池カバー１５の閉状態で本体２の凹欠部２０ｂ（図２）をほぼ閉塞する。
【００２３】
図５は、下部ケース５の平面図である。すなわち、プリンター１から上部ケース４及び上部ケース４に連結された各部を除いた部分の平面図である。また、図６は図５に破線Ａで示した部分を拡大した要部拡大図である。
図５及び図６には電池カバー１５の閉状態を示す。この状態で、電池カバー１５から突出する爪部３６は、下部ケース５に設けられた受け部５１に係合している。すなわち、本体２において開口２０ａの縁部には、下部ケース５の一部が開口２０ａ側に進出して受け部５１を構成する。受け部５１の電池収容部２０側、すなわち内側には、爪部３６が入り込むことが可能な空間５３が設けられ、電池カバー１５の閉状態で爪部３６が空間５３に入り込む。閉状態では上述したヒンジ１８の捻りコイルばね及び圧縮コイルばね４２の付勢力により、爪部３６は受け部５１側に付勢されるので、爪部３６が受け部５１に当接することにより、電池カバー１５は閉位置で保持される。
【００２４】
また、受け部５１の先端には、電池収容部２０側に突出する鈎状部５２が形成されている。電池カバー１５の閉状態では、受け部５１は鈎状部３７よりも内側にあり、かつ、鈎状部３７は受け部５１よりも外側にある。従って、図６に示す閉状態でロックレバー１６を矢印ＵＬ方向にスライドさせると、鈎状部３７が受け部５１に引っかかるので、爪部３６が受け部５１から離脱しないように規制される。このため、電池カバー１５が閉位置にある間は、ロックレバー１６をスライドさせて電池カバー１５を開くことができない。
本実施形態のプリンター１では、電池カバー１５を、閉位置よりもさらに電池収容部２０側すなわち内側に動かすことができる。
図５には、電池カバー１５の閉位置を位置Ｃ１で示す。Ｃ１の破線はベース３１の内側の面の位置を指している。プリンター１において、電池カバー１５の可動範囲は図中の位置Ｃ２まで設けられている。位置Ｃ２では、凹欠部２０ｂと舌状部３５とが接触し、ベース３１と当接部２８（図２）とが接触するので、電池カバー１５は位置Ｃ２よりも内側には移動しない。
電池カバー１５は、閉位置においてヒンジ１８の捻りコイルばね及び圧縮コイルばね４２の付勢力により外側に付勢されている。この付勢力に抗して、電池カバー１５を内側に押圧すると、電池カバー１５は位置Ｃ２まで変位する。位置Ｃ２では、鈎状部３７の先端が鈎状部５２よりも内側に位置する。このため、位置Ｃ２でロックレバー１６を矢印ＵＬ方向にスライドさせると、鈎状部３７が鈎状部５２に引っかかることなく、レバー部材３２がスライドする。これにより、爪部３６がベース３１内に引き込まれて、爪部３６と受け部５１との係合が解除されて、電池カバー１５が開く。
【００２５】
プリンター１において電池カバー１５を開く場合、電池カバー１５を押圧して内側に変位させ、電池カバー１５が変位した状態で電池カバー１５を矢印ＵＬ方向にスライドさせればよい。ロックレバー１６は、電池カバー１５の外側に立設されているため、電池カバー１５を押しながらロックレバー１６をスライドさせる操作は簡単であり、スムーズに行うことができる。この操作は、電池収容部２０に電池２１が収容されていても、収容されていなくても共通である。
閉状態では、外力が加わらない限り電池カバー１５は閉位置にあり、図６に示すように鈎状部３７が鈎状部５２にかみ合う位置にあるので、爪部３６は受け部５１から離脱しない。このため、プリンター１に外部からの衝撃が加わったり、強い振動が加わったりしても、電池カバー１５が、ユーザーの意図に反して開いてしまうことがない。例えば、プリンター１が落下して床面に衝突するなどして、本体２に矢印ＵＬとは逆向きの強い力が加わった場合には、ロックレバー１６には慣性力により矢印ＵＬ方向への力が加わる。この場合、ロックレバー１６が矢印ＵＬ方向にスライドして電池カバー１５が開いてしまうことが考えられるが、本実施形態では、上記のように鈎状部５２が鈎状部３７に接触して、爪部３６の移動を規制する。これにより、電池カバー１５は閉位置に保持される。また、外力によって電池２１が電池収容部２０から外へ飛び出す方向に移動しようとした場合、電池カバー１５は内側から押圧される。この場合、鈎状部３７は受け部５１側に押圧されるので、爪部３６をスライドさせることはより困難になるから、電池カバー１５が開いてしまうことはなく、電池２１の飛び出しを防止できる。
【００２６】
以上説明したように、本発明を適用した実施形態に係るプリンター１は、電池２１を収容する電池収容部２０を有し、電池収容部２０を開閉する回動可能な電池カバー１５と、電池カバー１５からスライドして突出する爪部３６と、電池カバー１５から突出した爪部３６に係合する受け部５１と、を備える。そして、爪部３６は、電池カバー１５を閉位置よりも押し込んだ位置で受け部５１から離脱可能となる。このため、電池カバー１５の閉位置では爪部３６をスライドさせて電池カバー１５を開くことができず、同じ方向に外力が加わっても電池カバー１５が開かない。これにより、ユーザーの意図に反して電池カバー１５が開いてしまう不具合を防ぎ、電池収容部２０からの電池２１の脱落を防止できる。一方、電池カバー１５を開く際には、ユーザーが電池カバー１５を押し込んで爪部３６をスライドさせればよい。このため、ユーザーが簡単な操作で電池カバー１５を開くことができる。
【００２７】
また、プリンター１では、鈎状部５２と鈎状部３７を設けたことにより、電池カバー１５の閉位置において爪部３６の引き込み方向の移動が規制される。このため、ユーザーの意図に反して、爪部３６がスライドする方向の外力が加わっても、電池カバー１５を閉じたまま保持できる。このため、例えばプリンター１本体に強い外力が加わった場合に電池カバー１５の開放を防止できるので、意図しない電池２１の脱落を防止できる。
さらに、プリンター１は、電池カバー１５が閉じた状態で電池カバー１５を開方向に付勢する付勢手段としての圧縮コイルばね４２を備え、電池収容部２０側に、電池カバー１５を閉位置よりも押し込んだ位置で電池カバー１５に接する当接部２８を設けている。このため、電池カバー１５が閉位置でがたつくことなく保持できる。また、電池カバー１５が、押し込まれた場合に当接部２８に接して止まるので、電池カバー１５を開く操作において電池カバー１５を適切な位置で止めることができる。これにより、電池カバー１５のがたつきを防止でき、かつ、簡単に電池を取り出すことが可能となる。また、圧縮コイルばね４２は電池カバー１５に設けられ、電池カバー１５の閉位置において電池収容部２０に収容された電池２１を押圧するので、電池カバー１５のがたつきを防止するとともに、電池２１を電池収容部２０内で安定させることができる。
【００２８】
上記実施形態では、爪部３６及び受け部５１に鈎状部を設けた構成について説明したが、本発明はこれに限定されず、よりシンプルな形状のものを用いることも可能である。
図７は、変形例における要部拡大平面図であり、図６に対応する。
この図７に示す変形例では、レバー部材３２の先端に、爪部３６（図６）に代えて爪部３８を設ける。爪部３８は、爪部３６と同様にロックレバー１６のスライド操作に伴ってベース３１から進退する突起である。また、下部ケース５には、受け部５１に代えて受け部５４を設ける。受け部５４は、受け部５１と同様に、開口２０ａの縁において下部ケース５に形成されている。
【００２９】
電池カバー１５の閉状態で、爪部３８は、空間５３に入り込み、受け部５４に係合することで電池カバー１５を閉位置に保つ。ここで、爪部３８の外側すなわち受け部５４側の面は斜面３９となっている。斜面３９は、爪部３８の先端側が受け部５４に接近する面となっている。一方、受け部５４には、爪部３８側に斜面５５が形成されている。斜面５５は、受け部５４の先端側が、より電池収容部２０側に向かう面となっている。
このため、図７に示すように、電池カバー１５の閉位置では斜面３９、５５が互いにかみ合うように対向している。
【００３０】
電池カバー１５の閉位置でロックレバー１６を矢印ＵＬ方向にスライドさせて爪部３８をベース３１内に引き込む場合は、爪部３８の斜面３９が斜面５５に当接しているため、爪部３８は電池収容部２０側へ移動しようとする。ここで、電池カバー１５は圧縮コイルばね４２及びヒンジ１８の捻りコイルばね（図示略）によって外側へ付勢されている。このため、爪部３８をスライドさせる力に対し抵抗が加わる。このように、電池カバー１５を閉位置で開こうとすると、ロックレバー１６を操作する力に抵抗が加わる構成となっている。
この電池カバー１５を開く場合には、上記実施形態と同様に、電池カバー１５を閉位置よりも電池収容部２０側に押し込み、ロックレバー１６をスライドさせればよい。電池カバー１５を押し込むことで、斜面３９が斜面５５から離れるため、爪部３８のスライドに対する抵抗が解消する。このため、電池カバー１５を簡単に開くことができる。
【００３１】
なお、上述した実施形態及び変形例は本発明を適用した一例を示すものであって、本発明は上記実施形態に限定されることはなく、本発明の要旨を逸脱しない範囲内で、適宜変更可能であることは勿論である。
例えば、上記実施形態及び変形例では本体２の外側に立設されたバー形状のロックレバー１６を備える構成を例に挙げて説明したが、レバー部材３２を、穴の開いたプレート形状とすることも可能である。この場合、プレートをスライドさせることで爪部３６がスライドして電池カバー１５を開くことが可能となる。
また、上記実施形及び変形例態では、下部ケース５に受け部５１、５４を設けた例について説明したが、受け部５１、５４を上部ケース４側にも設けることが可能である。すなわち、本体２の上下方向において、上部ケース４及び下部ケース５に跨がるように、受け部５１、５４を設けてもよい。また、受け部５１、５４を上部ケース４のみに設けてもよく、受け部５１、５４の位置及び上下方向のサイズは任意である。
【００３２】
また、上記実施形態及び変形例では電池カバー１５を閉位置Ｃ１よりも電池収容部２０側の位置Ｃ２まで押し込むことが可能であり、この位置Ｃ２で爪部３６、３８が受け部５１、５４から離脱可能な構成を例示した。この構成に代えて、例えば、電池カバー１５が閉位置Ｃ１より電池収容部２０側に移動しない構成とすることも可能である。この場合、電池カバー１５のベース３１及びレバー部材３２が弾性を有し、ベース３１の先端側を押圧することで、電池収容部２０に向けて弾性変形させることが可能な構成とすればよい。これにより、爪部３６を電池収容部２０側に変位させて電池カバー１５を開くことが可能になる。この構成では上記実施形態と同様の効果を得られる。また、凹欠部２０ｂと舌状部３５との間に、電池カバー１５が位置Ｃ２に移動する分の隙間を設ける必要がないので、電池カバー１５が閉位置Ｃ１に位置する状態を基準として、開口２０ａとベース３１との間を隙間なく閉じることが可能となる。従って、開口２０ａの隙間を塞いで塵埃の侵入を防止し、電池２１を保護することができる。さらに、凹欠部２０ｂを含む開口２０ａの縁全体にパッキンを配置して、防水性能を持たせることも可能となる。
また、本発明はプリンター１に限らず電池２１を電源とする様々な電子機器に適用可能であり、電池２１の種類や容量も任意である。また、電池２１の形が多角形である場合、電池収容部２０もそれに応じて形状を変えることができる。
【符号の説明】
【００３３】
１…プリンター（電子機器）、２…本体、１５…電池カバー（蓋）、１６…ロックレバー、１８…ヒンジ、１９…湾曲部、２０…電池収容部、２０ａ…開口、２０ｂ…凹欠部、２１…電池、２８…当接部（規制部）、３１…ベース、３２…レバー部材、３６、３８…爪部、３７…鈎状部、４２…圧縮コイルばね（付勢手段）、５１、５４…受け部（係合部）、５２…鈎状部。
【図１】
2014182980.tif 000003
【図２】
2014182980.tif 000004
【図３】
2014182980.tif 000005
【図４】
2014182980.tif 000006
【図５】
2014182980.tif 000007
【図６】
2014182980.tif 000008
【図７】
2014182980.tif 000009